(57)【要約】【課題】各支柱内の構成を簡素化でき、コストダウンも図ることができようにする。【解決手段】１本の長尺部材３を２本の支柱１，２との間に複数回折り返すようにして張設し、該長尺部材３の一端３ｅは固定手段１０により支柱１に固定し、該長尺部材３の他端３ｆは巻き取り手段４により巻き取るようにして弛みを防止する。そのような折り返しをせずに短い長尺部材を複数本配置して各長尺部材にそれぞれ巻き取り手段を取り付ける場合に比べて各支柱内の構成を簡素化でき、コストダウンも図ることができる。【選択図】図１
2018071145.tif 000002
【特許請求の範囲】
【請求項１】
立設される第１支柱と、該第１支柱に対して所定の間隔を隔てた位置に立設される第２支柱と、該第１支柱と該第２支柱との間に張設された可撓性を有する少なくとも１本の長尺部材と、を備えた手摺装置において、
前記長尺部材の一部分である固定部分を該長尺部材の長手方向に移動不能となるように前記第１支柱に固定する固定手段と、
前記第２支柱に取り付けられると共に、前記第１支柱から該第２支柱の側に延設されてきた前記長尺部材を前記第１支柱の側に折り返すように該長尺部材を摺動自在に支持する第２ガイド手段と、
前記長尺部材の一部分であって前記第２ガイド手段を挟んで前記固定部分がある側と反対の側にある一部分である支持部分に連結されて前記長尺部材を所定の力で巻き取るように構成された巻き取り手段と、
を備えたことを特徴とする手摺装置。
【請求項２】
前記第１支柱に取り付けられると共に、前記第２ガイド手段から該第１支柱の側に折り返されてきた前記長尺部材を前記第２支柱の側に折り返すように該長尺部材を摺動自在に支持する第１ガイド手段、
を備えたことを特徴とする請求項１に記載の手摺装置。
【請求項３】
前記第２ガイド手段は、前記固定手段により固定されてから前記第２支柱の側に延設されてきた前記長尺部材を下側であって前記第１支柱の側に折り返すように構成され、かつ、
前記巻き取り手段は、前記固定手段よりも低い高さに配置されてなる、
ことを特徴とする請求項１に記載の手摺装置。
【請求項４】
前記第１ガイド手段は、前記固定手段により固定されてから前記第２ガイド手段によって前記第１支柱の側に折り返されてきた前記長尺部材を下側であってかつ前記第２支柱の側に折り返すように構成され、かつ、
前記巻き取り手段は、前記固定手段よりも低い高さに配置されてなる、
ことを特徴とする請求項２に記載の手摺装置。
【発明の詳細な説明】
【技術分野】
【０００１】
本発明は、所定の間隔を隔てた状態で立設される２本の支柱を備えた手摺装置に関する。
【背景技術】
【０００２】
相対的に変位するおそれがある２つの床部にそれぞれ支柱を立設させて手摺装置（防護柵）を構築しなければならない場合がある。例えば、免震装置を有する建物において、該免震装置により支持される部分と支持されない部分との間に手摺装置を構築する場合である。そして、そのような箇所に使用する手摺装置については種々の構造のものが提案されている（例えば、特許文献１参照）。
【０００３】
図３は、手摺装置の従来構造の一例を示す側面図であり、図中の符号１０１，１０２は、支柱としての機能を果たす壁部を示し、符号Ｆ１は、一方の壁部１０１が立設されてなる床部を示し、符号Ｆ２は、他方の壁部１０２が立設されてなる床部を示す。そして、符号１０３Ａは、一方の壁部１０１に支持された柵部を示し、符号１０３Ｂは、他方の壁部１０２に支持された柵部を示している。該柵部１０３Ａは該柵部１０３Ｂには固定されてはおらず、該柵部１０３Ａと該柵部１０３Ｂとは±ｘ方向に相対移動できるように構成されている。したがって、地震等によって前記床部Ｆ１とＦ２とが±ｘ方向に相対移動したとしても、前記柵部１０３Ａ，１０３Ｂは該方向にそれぞれ自由に移動することとなり、該柵部１０３Ａ，１０３Ｂが壊れないという特徴を有している。
【先行技術文献】
【特許文献】
【０００４】
【特許文献１】特開２０００−３０３６４９号公報
【発明の概要】
【発明が解決しようとする課題】
【０００５】
しかしながら、図３に例示する手摺装置の場合、柵部１０３Ａ，１０３Ｂ等を有するために構成が複雑となり、その分、コストがアップするという問題があった。
【０００６】
本発明は、上述の問題を解消することのできる手摺装置を提供することを目的とするものである。
【課題を解決するための手段】
【０００７】
本発明の第１の観点は、図１に例示するものであって、立設される第１支柱（１）と、該第１支柱（１）に対して所定の間隔（Ｄ１２）を隔てた位置に立設される第２支柱（２）と、該第１支柱（１）と該第２支柱（２）との間に張設された可撓性を有する少なくとも１本の長尺部材（３）と、を備えた手摺装置（Ａ１）において、
前記長尺部材（３）の一部分である固定部分（３ｅ）を該長尺部材（３）の長手方向に移動不能となるように前記第１支柱（１）に固定する固定手段（１０）と、
前記第２支柱（２）に取り付けられると共に、前記第１支柱（１）から該第２支柱（２）の側に延設されてきた前記長尺部材（３）を前記第１支柱（１）の側に折り返すように該長尺部材（３）を摺動自在に支持する第２ガイド手段（２１）と、
前記長尺部材（３）の一部分であって前記第２ガイド手段（２１）を挟んで前記固定部分（３ｅ）がある側と反対の側にある一部分である支持部分（３ｆ）に連結されて前記長尺部材（３）を所定の力で巻き取るように構成された巻き取り手段（４）と、を備えたことを特徴とする。
【０００８】
本発明の第２の観点は、前記第１支柱（１）に取り付けられると共に、前記第２ガイド手段（２１）から該第１支柱（１）の側に折り返されてきた前記長尺部材（３）を前記第２支柱（２）の側に折り返すように該長尺部材（３）を摺動自在に支持する第１ガイド手段（１１）、を備えたことを特徴とする。
【０００９】
本発明の第３の観点は、図２に例示するものであって、前記第２ガイド手段（２１）が、前記固定手段（１０）により固定されてから前記第２支柱（２）の側に延設されてきた前記長尺部材（３）を下側であって前記第１支柱（１）の側に折り返すように構成され、かつ、
前記巻き取り手段（４）は、前記固定手段（１０）よりも低い高さに配置されてなることを特徴とする。
【００１０】
本発明の第４の観点は、図２に例示するものであって、前記第１ガイド手段（１１）が、前記固定手段（１０）により固定されてから前記第２ガイド手段（２１）によって前記第１支柱（１）の側に折り返されてきた前記長尺部材（３）を下側であってかつ前記第２支柱（２）の側に折り返すように構成され、かつ、
前記巻き取り手段（４）は、前記固定手段（１０）よりも低い高さに配置されてなることを特徴とする。
【００１１】
なお、括弧内の番号などは、図面における対応する要素を示す便宜的なものであり、従って、本記述は図面上の記載に限定拘束されるものではない。
【発明の効果】
【００１２】
上記した第１及び２の観点によれば、１本の長尺部材を複数回折り返して手摺装置を構成しているので、そのような折り返しをせずに短い長尺部材を複数本配置して各長尺部材にそれぞれ巻き取り手段を取り付ける場合に比べて各支柱内の構成を簡素化でき、コストダウンを図ることができる。
【００１３】
上記した第３及び４の観点によれば、前記長尺部材の最上の部分と前記巻き取り手段との間には前記第１ガイド手段や前記第２ガイド手段が介装されているためにそれらのガイド手段と前記長尺部材との間には比較的大きな摩擦力が発生し、該長尺部材の最上の部分は人が引っ張ったり押したりしても弛みにくくて安全性を確保することができる。したがって、巻き取り力が弱い小型のものを前記巻き取り手段に使用することができ、その分、コスト低減化や省スペース化を図ることができる。
【図面の簡単な説明】
【００１４】
【図１】図１は、本発明に係る手摺装置の全体構成の一例を示す側面図である。
【図２】図２は、本発明に係る手摺装置の全体構成の他の例を示す側面図である。
【図３】図３は、手摺装置の従来構造の一例を示す側面図である。
【発明を実施するための形態】
【００１５】
以下、図１及び図２に沿って、本発明の実施の形態について説明する。
【００１６】
本発明に係る手摺装置（防護柵装置）は、図１に符号Ａ１で例示するものであって、所定の間隔（以下、“支柱間隔”とする）Ｄ１２を隔てた位置に立設される少なくとも２本の第１及び第２支柱１，２を備えており、これらの第１支柱１と第２支柱２との間には長尺部材３が少なくとも１本張設されている。
【００１７】
ところで、前記長尺部材３は、可撓性を有するものであり、具体的には、樹脂や繊維やワイヤ（例えば、ステンレス製のワイヤ）で形成されたロープ又は帯体を挙げることができる。
【００１８】
また、本発明に係る手摺装置Ａ１は、前記長尺部材３の一部分３ｅを前記第１支柱１に固定するための固定手段１０を備えている。つまり、該固定手段１０は、前記長尺部材３の長手方向に移動不能となるように前記一部分３ｅを支持している。この固定手段１０は前記第１支柱１に取り付けておくと良いが、該第１支柱１以外の部分（例えば、床部）に取り付ける態様を本発明の範囲から除外するものではない。ここで、前記長尺部材３の一部分３ｅは、前記固定手段１０を介して該第１支柱１に固定される部分であり、本明細書においては“固定部分”と称することとする。なお、図１に示す例では、前記固定手段１０は前記長尺部材３の一端部を支持している（つまり、上述した固定部分３ｅは該長尺部材３の一端部である）が、もちろんこれに限られるものではなく、端部以外の部分を固定するようにしても良い。また、該固定手段１０は、該長尺部材３の固定部分３ｅを支持（固定）するものであればどのような形態であっても良く、具体的には、
・  該長尺部材３が巻き掛けられるピンやボルト、
・  該長尺部材３を挟持するクリップ状のもの、
などを挙げることができる。また、図１に示す例では、前記第１支柱１は、上下に延びる第１内部空間Ｂ１を有していて、前記固定手段１０は該第１内部空間Ｂ１に配置されているが、もちろんこれに限られるものではなく、該固定手段１０を前記第１支柱１の外部（つまり、側壁）に配置していても良い。
【００１９】
一方、前記第２支柱２には、前記長尺部材３を摺動自在に支持する第２ガイド手段２１が取り付けられている。この第２ガイド手段２１は、前記第１支柱１の側から該第２支柱２の側に延設されてきた前記長尺部材３を前記第１支柱１の側に折り返すように支持している。この第２ガイド手段２１は、前記長尺部材３を折り返すものであればどのような形態のものでも良く、例えば、
・  回転自在に支持されたローラーや滑車、
・  Ｕ字状に湾曲されたパイプ部材、
などを挙げることができる。また、図１に示す例では、前記第２支柱２は、上下に延びる第２内部空間Ｂ２を有していて、前記第２ガイド手段２１は該第２内部空間Ｂ２に配置されているが、もちろんこれに限られるものではなく、該第２ガイド手段２１を前記第２支柱２の外部（つまり、側壁）に配置していても良い。
【００２０】
また一方、本発明に係る手摺装置Ａ１は、前記長尺部材３の一部分である支持部分３ｆに連結されて該長尺部材３を所定の力で巻き取るように構成された巻き取り手段４を備えている。ここで、該巻き取り手段４が連結される支持部分３ｆは、１つ又は複数の前記第２ガイド手段２１を挟んで前記固定部分３ｅがある側と反対の側に配置される部分である（つまり、該支持部分３ｆと該固定部分３ｅとの間には１つ又は複数の前記第２ガイド手段２１が配置されることとなる）。なお、図１に示す例では、前記巻き取り手段４は前記第１支柱１の側に取り付けられているが、もちろんこれに限られるものではなく、前記第２支柱２の側に取り付けられていても良く、さらには、該第１支柱１や該第２支柱２以外の場所（例えば、床部）に配置されていても良い。そして、この巻き取り手段４も前記固定手段１０や前記第２ガイド手段２１と同様であって、前記第１支柱１や前記第２支柱２の内部に配置されていても外部に配置されていても良い。この巻き取り手段４は、
・  前記長尺部材３にかかる張力が所定未満の場合（つまり、該長尺部材３に人が寄りかかった程度の場合であり、具体的には５０ｋｇから６０ｋｇ未満の場合）には該長尺部材３を巻き取るように作用し、
・  該長尺部材３にかかる張力が所定以上の場合（つまり、地震等が発生して前記第１支柱１と前記第２支柱２とが離れようとした場合）には該長尺部材３が引き出される
ように構成されている。該巻き取り手段４に好適なものとしては、バネを利用して前記長尺部材３を巻き取るようにした装置を挙げることができるが、前記長尺部材３にかかる張力が所定以上の場合に破損するようなもの（つまり、地震等による力が上述した各支柱１，２や長尺部材３に作用する前に該巻き取り手段４自体が破損するようなもの）にしても良い。
【００２１】
また、前記第２ガイド手段２１と同様の構成のものを前記第１支柱１に取り付けるようにしても良い。すなわち、前記第１支柱１には、前記長尺部材３を摺動自在に支持する第１ガイド手段１１を取り付けるようにしても良い。この第１ガイド手段１１は、前記第２ガイド手段２１から該第１支柱１の側に折り返されてきた前記長尺部材３を前記第２支柱２の側に折り返すように支持している。この第１ガイド手段１１は、前記長尺部材３を折り返すものであればどのような形態のものでも良く、例えば、
・  回転自在に支持されたローラーや滑車、
・  Ｕ字状に湾曲されたパイプ部材、
などを挙げることができる。また、図１に示す例では、前記第１ガイド手段１１は前記第１内部空間Ｂ１に配置されているが、もちろんこれに限られるものではなく、該第１ガイド手段１１を前記第１支柱１の外部（つまり、側壁）に配置していても良い。
【００２２】
本発明によれば、前記第１支柱１と前記第２支柱２との間に複数本（図１に示す例では符号３ａ，３ｂ，３ｃ，３ｄで示す４本）の長尺部材を張設することができ、該長尺部材を１本だけ張設する場合に比べて防護柵の存在を通行人に対して容易に認識させることができ、それによって安全を確保することができる。また、所定の高さ範囲（例えば、大人の腰の高さと地面との間の範囲）に長尺部材を何本も張設することができるため、子供から大人までを安全に保護することができる。さらに、地震やその他の何らかの影響により前記第１支柱１と前記第２支柱２とが近づいて前記支柱間隔Ｄ１２が狭くなる場合には前記長尺部材３は前記巻き取り手段４によって巻き取られて弛みが防止される。また、何らかの影響により該第１支柱１と該第２支柱２とが離れて前記支柱間隔Ｄ１２が広くなろうとした場合には前記巻き取り手段４に巻き取られていた部分（つまり、前記長尺部材３の一部分）が該巻き取り手段４の外部に引き出されることとなり、該第１支柱１や該第２支柱２の移動（変位）を妨げないようになっている。さらに、本発明によれば、１本の長尺部材３を複数回折り返して手摺装置Ａ１を構成しているので、そのような折り返しをせずに短い長尺部材を複数本配置して各長尺部材にそれぞれ巻き取り手段を取り付ける場合に比べて各支柱内の構成を簡素化でき、コストダウンを図ることができる。
【００２３】
ところで、上述した第２ガイド手段２１は、図２に例示するように、前記固定手段１０により固定されてから前記第２支柱２の側に延設されてきた前記長尺部材３（つまり、該長尺部材３の一部分であって、前記支持部分３ｆを含む側ではなく前記固定部分３ｅを含む側の意である）を上側に折り返しても良いが、該長尺部材３を下側であって前記第１支柱１の側に折り返すようにし、かつ、前記巻き取り手段４は前記固定手段１０よりも低い高さに配置するようにすると良い。また、前記第１ガイド手段１１は、図２に例示するように、前記固定手段１０により固定されてから前記第２ガイド手段２１によって前記該第１支柱１の側に折り返されてきた前記長尺部材３（つまり、該長尺部材３の一部分であって、前記支持部分３ｆを含む側ではなく前記固定部分３ｅを含む側の意である）を上側に折り返しても良いが、該長尺部材３を下側であってかつ前記第２支柱２の側に折り返すようにし、かつ、前記巻き取り手段４は前記固定手段１０よりも低い高さに配置するようにすると良い。そのようにした場合には、前記長尺部材３の最上の部分（つまり、符号３ａで示す区間）と該巻き取り手段４との間には前記第１ガイド手段１１や前記第２ガイド手段２１が介装されているためにそれらのガイド手段１１，２１と前記長尺部材３との間には比較的大きな摩擦力が発生し、該長尺部材３の最上の部分（つまり、符号３ａで示す区間）は人が引っ張ったり押したりしても弛みにくくて安全性を確保することができる。したがって、巻き取り力が弱い小型のものを前記巻き取り手段４に使用することができ、その分、コスト低減化や省スペース化を図ることができる。
【００２４】
ところで、前記第１ガイド手段１１や前記第２ガイド手段２１に対向する位置には、前記長尺部材３が該ガイド手段１１，２１から外れることを防止するためのローラー１５，２５を配置しておくと良い。これらのガイド手段１１，２１を各支柱１，２の内部に収納する場合には、各支柱１，２に穿設された孔部（不図示）に前記長尺部材３を挿通させて該長尺部材３の経路を規定し、それによって、該長尺部材３が各ガイド手段１１，２１から外れることを防止するようにしても良い。
【００２５】
なお、図１及び図２に示す例では、前記第１支柱１と前記第２支柱２との間には４本の長尺部材３ａ，３ｂ，３ｃ，３ｄが張設されているが、その本数は４本に限るものではなく、２本や３本でも、或いは５本以上であっても良い。また、図１及び図２に示す例では、１本の長尺部材３と１個の巻き取り手段４とを配置しているが、もちろんこれに限られるものではなく、複数本の長尺部材３と複数個の巻き取り手段４とを配置して、各長尺部材３を各巻き取り手段４で巻き取るようにしても良い。さらに、符号１６や２６で示す部分にボールジョイントを配置し、該ボールジョイントによって前記長尺部材３が揺動自在及び出入り自在に支持されるようにしておくと良い。そのようにした場合には、前記第１支柱１及び／又は前記第２支柱２がどの方向に移動したとしても、その方向に前記長尺部材３を追随させることができる。
【００２６】
なお、上述した第１支柱１及び第２支柱２は、柱状の形状に限るものではなく、壁状やその他の形状のものであっても良い。
【産業上の利用可能性】
【００２７】
本発明に係る手摺装置は、免震装置を有する建物だけでなく、一方の床部が他方の床部に対して相対的に移動する可能性がある箇所であれば使用でき、そのような箇所としては、例えば、他方の床部が移動するような遊具、岸壁と該岸壁に係留されている船などを挙げることができる。
【符号の説明】
【００２８】
１                            第１支柱
２                            第２支柱
３                            長尺部材
３ｅ                          固定部分
３ｆ                          支持部分
４                            巻き取り手段
１０                          固定手段
１１                          第１ガイド手段
２１                          第２ガイド手段
Ａ１                          手摺装置
Ａ２                          手摺装置
Ｄ１２                          間隔
【図１】
2018071145.tif 000003
【図２】
2018071145.tif 000004
【図３】
2018071145.tif 000005